(57)【特許請求の範囲】
【請求項１】
口部に取り付けられたノズル部材を介して内部から空気を噴射して空中を飛行するゴム風船に空気を吹き込むゴム風船用吹込み口部材において、空気を吹き込む際にくわえる吹込み筒と、この吹込み筒に連結される受け筒と、吹込み筒と受け筒との間に介在されるフィルターとを具備しており、前記吹込み筒は外周面に雄ねじが形成された大径部と、この大径部の先端部の内側に形成された段差とを有しており、前記受け筒は内部に雌ねじが形成されたカップ部と、このカップ部の内面に形成された円弧状の凸脈とを有しており、雄ねじと雌ねじとは吹込み筒と受け筒とを連結させるべく対応しており、吹込み筒と受け筒とが連結されると、大径部の先端部がカップ部の外周部と凸脈との間に嵌まり込んで、前記フィルターが受け筒の凸脈と吹込み筒の段差とで挟み込まれることを特徴とするゴム風船用吹込み口部材。
【請求項２】
前記吹込み筒は、口でくわえる小径部と、この小径部と前記大径部とを繋ぐテーパ部とが一体に形成されており、前記テーパ部には逆止弁が設けられていることを特徴とする請求項１記載のゴム風船用吹込み口部材。
【請求項３】
前記逆止弁は、小径部の内径より大きくかつ大径部の内径より小さい直径を有する球体であることを特徴とする請求項２記載のゴム風船用吹込み口部材。
【発明の詳細な説明】
【技術分野】
【０００１】
本発明は、内部からの空気噴射によって空中を飛行するゴム風船を膨らませる際に使用するゴム風船用吹込み口部材に関する。
【背景技術】
【０００２】
近年、プロ野球の球場観戦において一斉にゴム風船を上空へ飛ばして応援することが流行している。このゴム風船は、先端側がやや膨らんだ棒状のゴム風船本体と、このゴム風船本体の口部に取り付けられる合成樹脂からなる吹き口部材とから構成されている。かかるゴム風船は、吹き口部材から空気を吹き込んで膨らませてから手放すと、内部からの空気噴射を推進力として飛翔するとともに、吹き口部材が笛になって通過する空気によってピーという音を発する。
【０００３】
このゴム風船は、吹き口部材をくわえて空気を吹き込んで膨らませる、飛翔させるまでは空気が噴射しないように吹き口部材又はゴム風船本体の根元部を押さえておくことが必要となっている。
また、ゴム風船本体の収縮力による空気の戻りに抗して膨らませるのに大きな吹込み力が必要となるため、肺活量の小さい子どもや女性には膨らませることが難しい上に、膨らませてから保持している間になんらかの拍子に空気が抜けてしまったり、飛翔させる前に油断して手から離れて飛び去ってしまうという問題があった。
【０００４】
かかる問題を解消するために、特許第４９０４３７７号公報記載の『ゴム風船発射装置』が創案された。
【０００５】
【特許文献１】特許第４９０４３７７号公報
【発明の開示】
【発明が解決しようとする課題】
【０００６】
しかしなから、上述の特許第４９０４３７７号公報記載の『ゴム風船発射装置』は、ゴム風船を肺活量の小さい子どもなどにも膨らませやすく、膨らませてからも空気が抜けないなどの一定の目的は達成しているが、衛生面での問題がある。
すなわち、ゴム風船を膨らませる際に、唾液がゴム風船に吹き込まれ、飛翔と同時に唾液が空気とともにまき散らされるという問題である。
近年の新型インフルエンザ等に代表される感染症は、ウィルスが含まれる唾液を介して感染することが知られており、これらの感染予防に対して上記『ゴム風船発射装置』のみならず、従来の飛翔するゴム風船はまったく対策が施されていなかった。飛翔するゴム風船からまき散らされる唾液が感染症の拡散の原因となったという事実は現時点では確認されていないようであるが、そのような感染症の拡散に対する予防的措置がまったく施されていないという点も事実である。
【０００７】
本発明は、上記事情に鑑みて創案されたもので、空気を吹き込む際に感染症の原因となりうる唾液がゴム風船に入らないようにしたゴム風船用吹込み口部材を提供することを目的としている。
【課題を解決するための手段】
【０００８】
本発明に係るゴム風船用吹込み口部材は、口部に取り付けられたノズル部材を介して内部から空気を噴射して空中を飛行するゴム風船に空気を吹き込むゴム風船用吹込み口部材であって、空気を吹き込む際にくわえる吹込み筒と、この吹込み筒に連結される受け筒と、吹込み筒と受け筒との間に介在されるフィルターとを備えており、前記吹込み筒は外周面に雄ねじが形成された大径部と、この大径部の先端部の内側に形成された段差とを有しており、前記受け筒は内部に雌ねじが形成されたカップ部と、このカップ部の内面に形成された円弧状の凸脈とを有しており、雄ねじと雌ねじとは吹込み筒と受け筒とを連結させるべく対応しており、吹込み筒と受け筒とが連結されると、大径部の先端部がカップ部の外周部と凸脈との間に嵌まり込んで、前記フィルターが受け筒の凸脈と吹込み筒の段差とで挟み込まれるようになっている。
【発明の効果】
【０００９】
本発明に係るゴム風船用吹込み口部材は、内部にフィルターを有しているので、空気をゴム風船に吹き込む際、唾液がゴム風船に入り込むことがないので、ゴム風船を飛翔させても、または破裂させても感染症の原因となるウィルスをまき散らすおそれはない。
【００１０】
また、本発明に係るゴム風船用吹込み口部材は、逆止弁を設けているので、小径部から口を外してもゴム風船から空気が漏れだすおそれはない。
【図面の簡単な説明】
【００１１】
【図１】本発明の実施の形態に係るゴム風船用吹込み口部材の概略的側面一部断面である。
【図２】本発明の実施の形態に係るゴム風船用吹込み口部材を構成する受け筒の図面であって、同図（Ａ）は概略的側面一部断面図、同図（Ｂ）は概略的正面図である。
【図３】本発明の実施の形態に係るゴム風船用吹込み口部材を構成する吹込み筒の図面であって、同図（Ａ）は概略的側面一部断面図、同図（Ｂ）は概略的正面図である。
【図４】本発明の実施の形態に係るゴム風船用吹込み口部材が連結されるゴム風船の概略的側面一部断面図である。
【図５】本発明の実施の形態に係るゴム風船用吹込み口部材が連結されるゴム風船の概略的平面図である。
【図６】本発明の他の実施の形態に係るゴム風船用吹込み口部材の概略的平面図である。
【発明を実施するための形態】
【００１２】
本発明の実施の形態に係るゴム風船用吹込み口部材１０００は、口部５１１に取り付けられたノズル部材５２０を介して内部から空気を噴射して空中を飛行するゴム風船５００に空気を吹き込むゴム風船用吹込み口部材であって、空気を吹き込む際にくわえる吹込み筒２００と、この吹込み筒２００に連結される受け筒１００と、吹込み筒２００と受け筒１００との間に介在されるフィルター４００とを備えており、前記吹込み筒２００は外周面に雄ねじ２２１が形成された大径部２２０と、この大径部２２０の先端部の内側に形成された段差２２４とを有しており、前記受け筒１００は内部に雌ねじ１２１が形成されたカップ部１２０と、このカップ部１２０の内面に形成された円弧状の凸脈１２３とを有しており、雄ねじ２２１と雌ねじ１２１とは吹込み筒２００と受け筒１００とを連結させるべく対応しており、吹込み筒２００と受け筒１００とが連結されると、大径部２２０の先端部がカップ部１２０の外周部と凸脈１２３との間に嵌まり込んで、前記フィルター４００が受け筒１００の凸脈と吹込み筒２００の段差２２４とで挟み込まれるようになっている。
【００１３】
本発明の実施の形態に係るゴム風船用吹込み口部材１０００を使って膨らませられるゴム風船５００は、図５に示すように、先端側がやや膨らんだ棒状のゴム風船本体５１０と、このゴム風船本体５１０の口部５１１に取り付けられる合成樹脂からなるノズル部材５２０とから構成されている。
前記ゴム風船本体５１０の口部５１１には、他の部分より厚めになった凸脈状部５１２が形成されている（図４参照）。
【００１４】
また、前記ノズル部材５２０は、ゴム風船本体５１０の前記突脈状部５１２が嵌まり込む凹部５２１Ａが形成された略円筒形状の第１ノズル部材５２１と、この第１ノズル部際５２１に外嵌される略円筒形状の第２ノズル部材５２２とを有している。第２ノズル部材５２２は、第１ノズル部材５２１に外嵌されると、第２ノズル部材５２２の外周部５２２Ａの先端が前記凹部５２１Ａをほぼ覆うようになっている。従って、ゴム風船本体５１０をこのノズル部材５２０に取り付けると、凸脈状部５１２が凹部５２１Ａと外周部５２２Ａとで覆われる結果、ゴム風船本体５１０がノズル部材５２０からより外れにくくなっている。
前記第２ノズル部材５２２の後端、すなわち第１ノズル部材５２１を外嵌する側とは反対側には、本発明の実施の形態に係るゴム風船用吹込み口部材１０００の受け筒１００の連結部１１０が連結されるノズル側連結部５２２Ｂが形成されている。
なお、このゴム風船本体５１０に取り付けられるノズル部材５２０は、通過する空気によって音を発する機能を有している。
【００１５】
本発明の実施の形態に係るゴム風船用吹込み口部材１０００を構成する受け筒１００は、図２に示すように、小径の略円筒形状の連結部１１０と、この連結部１１０より径大の略円筒形状のカップ部１２０とが一体に形成されたものである。前記連結部１１０は、ゴム風船本体５１０に取り付けられるノズル部材５２０を構成する第２ノズル部材５２２のノズル側連結部５２２Ｂに挿入して連結される。この連結部１１０は、ノズル側連結部５２２Ｂへの挿入がスムーズになるように、外面は先細り状となるようにテーパ面となっている。
【００１６】
また、前記カップ部１２０は、内部に雌ねじ１２１が形成されている。また、このカップ部１２０の段差部１２２の内面には、円弧状に凸脈１２３が突出形成されている。この凸脈１２３は、後述する吹込み筒２００を連結した際に、吹込み筒２００の段差２２４とでフィルター４００を挟み込む部分となる。
【００１７】
一方、上述した受け筒１００とともにゴム風船用吹込み口部材１０００を構成する吹込み筒２００は、図３に示すように、口でくわえる小径部２１０と、この小径部２１０より径大の大径部２２０と、この大径部２２０と前記小径部２１０とを繋ぐテーパー部２３０とが一体に形成されている。
【００１８】
前記小径部２１０の終端には口にくわえた際に不用意に落下させないようにする微小フランジ部２１１が形成されている。
また、前記大径部２２０は、外周面に前記雌ねじ１２１に対応した雄ねじ２２１が形成されている。しかも、この大径部２２０の外周面のテーパ部２３０側には、前記受け筒１００と連結された状態でテーパ部２３０と受け筒１００のカップ部１２０とが面一になるように、カップ部１２０の厚さ寸法に相当する段差２２２が形成されている。さらに、この大径部２２０の先端部２２３は、内側に段差２２４が形成されることで他の部分より肉薄に形成されている。このように先端部２２３が肉薄に形成されるいるのは、前記受け筒１００と連結した場合、受け筒１００のカップ部１２０の外周部と凸脈１２３との間に嵌まり込むようにするためである。
【００１９】
前記テーパ部２３０には、小径部２１０の内径より大きくかつ大径部２２０の内径より小さい直径を有する逆止弁となる球体３００がセットされている。
【００２０】
前記フィルター４００は、少なくとも唾液が通過しないようにするものであって、略円形に形成されている。かかるフィルター４００は、受け筒１００の凸脈１２３と、吹込み筒２００の段差２２４とで挟み込まれてゴム風船用吹込み口部材１０００の内部にセットされる。
【００２１】
このように構成されたゴム風船用吹込み口部材１０００は以下のようにして使用される。
まず、吹込み口部材１０００の連結部１１０をゴム風船５００のノズル側連結部５２２Ｂに挿入接続する。
この状態でゴム風船用吹込み口部材１０００の小径部２１０をくわえて空気をゴム風船本体５１０に吹き込む。この際、空気が吹き込まれる勢いで逆止弁である球体３００と小径部２１０との間には隙間が形成される。
【００２２】
ゴム風船本体５１０に空気が十分に吹き込まれた状態で小径部２１０から口を外しても、ゴム風船本体５１０に充填された空気によって逆止弁たる球体３００が小径部２１０側に押しやられて小径部２１０が閉ざされる。その結果、ゴム風船本体５１０の口部５１１を押さえなくても、ゴム風船本体５１０から空気が漏れだすことはない。
【００２３】
また、ゴム風船用吹込み口部材１０００にはフィルター４００がセットされているので、口で空気を吹き込んでも唾液はゴム風船本体５１０の内部には吹き込まれることはない。従って、ゴム風船５００を飛翔させたとしても、感染症の原因となるウィルスをまき散らすおそれがない。また、ゴム風船５００に空気を吹き込んでいる最中、または飛翔させるために保持している最中になんらかの原因でゴム風船５００を破裂させたとしても、感染症の原因となるウィルスをまき散らすおそれがない。
【００２４】
ゴム風船５００を飛翔させる際には、ゴム風船用吹込み口部材１０００を片手で持ちつつ、ゴム風船５００のノズル部材５２０をもう一方の手の指で押し出して、ゴム風船５００のノズル側連結部５２２Ｂをゴム風船用吹込み口部材１０００の連結部１１０から外せばよい。
【００２５】
なお、上述した実施の形態では、１つのゴム風船用吹込み口部材１０００に１つのゴム風船５００を連結させるとしたが、図６（Ａ）に示すように、１つのゴム風船用吹込み口部材１０００Ｂに複数（図面では３つ）の連結部１１０Ｂを形成すれば、３つのゴム風船５００を同時に飛翔させることができる。
【００２６】
また、図６（Ａ）に示すゴム風船用吹込み口部材１０００Ｂは、空気を吹き込む際に口でくわえる小径部２１０Ｂは１つであるため、３つのゴム風船５００に同時に空気を吹き込むことになるので、肺活量の小さい子どもや女性には使いづらい面があるが、図６（Ｂ）のように、１つのゴム風船用吹込み口部材１０００Ｃに複数（図面では３つ）の連結部１１０Ｃを形成するとともに、各連結部１１０Ｃに独立して繋がった３つの小径部２１０Ｃを形成すれば、肺活量の小さい子ども等であっても、複数のゴム風船５００を同時に飛翔させることができるにも関わらず、子ども等にも使いやすいものとなる。
【００２７】
また、他のゴム風船用吹込み口部材としては、複数の連結部を有するが、小径部は１つであり、吹込み経路を連結部ごとに切り換えることができる切換機構を内蔵したものもありうる。
【符号の説明】
【００２８】
１０００    ゴム風船用吹込み口部材
１００      受け筒
１１０      連結部
２００      吹込み筒
４００      フィルター
５００ ゴム風船
５１１      口部
５２０      ノズル部材
【図１】
0006360508.tif 000002
【図２】
0006360508.tif 000003
【図３】
0006360508.tif 000004
【図４】
0006360508.tif 000005
【図５】
0006360508.tif 000006
【図６】
0006360508.tif 000007